(57)【特許請求の範囲】
【請求項１】
読取位置を移動させながら原稿台に載置された原稿の画像を読み取る原稿読取装置であって、
原稿が載置される原稿台と、
開閉可能であり、閉状態において前記原稿台を覆う原稿台カバーと、
前記原稿台に載置された原稿における読取位置の画像をライン毎に読み取り、画像データを出力する画像読取手段と、
前記読取位置の移動を制御する制御手段と、
１ラインの画素先端の基準となる水平同期信号を生成する生成手段と、
前記画像読取手段から出力された画像データおよび前記生成手段により生成された水平同期信号を、通信ラインを介して送信する送信手段と、
前記通信ラインを介して、前記画像データおよび前記水平同期信号を受信する受信手段と、
前記受信手段が受信した画像データを格納する画像メモリと、
前記受信手段が受信した水平同期信号の異常を検出する検出手段と、を有し、
前記検出手段が前記異常を検出した場合、前記制御手段は、前記読取位置を開始位置に戻させ、前記画像読取手段に前記原稿を、再度、読み取らせ、前記送信手段は、前記画像読取手段が前記原稿を再度読み取ることにより前記画像読取手段から出力される画像データ、および前記生成手段によって生成された水平同期信号を前記通信ラインを介して送信することを特徴とする原稿読取装置。
【請求項２】
前記検出手段は、前記受信手段が受信した画像データをカウントし、前記受信手段が受信した水平同期信号の受信タイミングとカウントされたカウント値とに基づき、前記受信手段が受信した水平同期信号の異常を検出することを特徴とする請求項１記載の原稿読取装置。
【請求項３】
さらに、前記原稿台カバーの前記原稿台に対する開閉状態を検知する開閉検知手段を有し、
前記開閉検知手段が開状態を検知し、かつ、前記検出手段が前記異常を検知した場合、前記制御手段は前記読取位置を前記開始位置に戻させ、前記画像読取手段に前記原稿を、再度、読み取らせ、前記送信手段は、前記画像読取手段が前記原稿を再度読み取ることにより前記画像読取手段から出力される画像データ、および前記生成手段によって生成された水平同期信号を、前記通信ラインを介して送信し、
前記開閉検知手段が閉状態を検知した場合、前記検出手段が前記異常を検知したことに応じた前記原稿の再度の読み取りを行わないことを特徴とする請求項１又は２に記載の原稿読取装置。
【請求項４】
さらに、シェーディング調整を行うシェーディング調整手段を有し、
前記原稿の再度の読み取り時は、前記原稿の再度の読み取り前に行われた前記シェーディング調整の結果を使用することを特徴とする請求項１乃至３のいずれかに記載の原稿読取装置。
【請求項５】
さらに、前記原稿台が前記原稿台および前記画像読取手段を有する画像読取部に対して回転可能になるように、前記原稿台を支持する金属製のヒンジを有することを特徴とする請求項１乃至４のいずれかに記載の原稿読取装置。
【請求項６】
前記制御手段が前記画像読取手段に前記原稿を再度読み取る指示を所定回数行った後に再び前記検出手段が前記水平同期信号の異常を検出した場合、前記制御手段は、前記画像読取手段による前記原稿の読み取りを中止させることを特徴とする請求項１乃至５のいずれか１項に記載の原稿読取装置。
【発明の詳細な説明】
【技術分野】
【０００１】
本発明は、原稿を読み取る原稿読取装置に関する。
【背景技術】
【０００２】
原稿自動送り装置（ＡＤＦ：Auto Document Feeder）を備えた原稿読取装置では、一般的に、原稿台とＡＤＦとはヒンジ部材のみによって接続されている。このような構造では、ＡＤＦに対する電気的な導通が不十分となり、ＡＤＦに放射ノイズが発生しやすい。そのため、原稿読取装置で読み取った画像データをコントローラへ転送する際の信号にＡＤＦ本体で発生した放射ノイズや外来の放射ノイズが乗ってしまうと、読取画像が異常画像となってしまい、利用者に不利益を与えてしまうことになる。
【０００３】
そこで、ヒンジ部以外に原稿台とＡＤＦとの間に導通部材を設けることにより、原稿読取装置に発生する放射ノイズを低減し、読取画像が異常画像になることを防止する提案がなされている（特許文献１参照）。
【先行技術文献】
【特許文献】
【０００４】
【特許文献１】特開２００６−１６５７４７号公報
【発明の開示】
【発明が解決しようとする課題】
【０００５】
しかしながら、原稿読取装置に新たに導通部材を追加する構成では、装置コストが増加するという問題が生じる。また、原稿台を閉じない状況にて原稿を読み取った場合に、放射ノイズによって異常画像になりやすくなるという問題がある。
【０００６】
本発明は、放射ノイズによる異常画像の発生を抑制することを目的とする。
【課題を解決するための手段】
【０００７】
本発明に係る原稿読取装置は、読取位置を移動させながら原稿台に載置された原稿の画像を読み取る原稿読取装置であって、原稿が載置される原稿台と、開閉可能であり、閉状態において前記原稿台を覆う原稿台カバーと、前記原稿台に載置された原稿における読取位置の画像をライン毎に読み取り、画像データを出力する画像読取手段と、前記読取位置の移動を制御する制御手段と、１ラインの画素先端の基準となる水平同期信号を生成する生成手段と、前記画像読取手段から出力された画像データおよび前記生成手段により生成された水平同期信号を、通信ラインを介して送信する送信手段と、前記通信ラインを介して、前記画像データおよび前記水平同期信号を受信する受信手段と、前記受信手段が受信した画像データを格納する画像メモリと、前記受信手段が受信した水平同期信号の異常を検出する検出手段と、を有し、前記検出手段が前記異常を検出した場合、前記制御手段は、前記読取位置を開始位置に戻させ、前記画像読取手段に前記原稿を、再度、読み取らせ、前記送信手段は、前記画像読取手段が前記原稿を再度読み取ることにより前記画像読取手段から出力される画像データ、および前記生成手段によって生成された水平同期信号を前記通信ラインを介して送信することを特徴とする。
【発明の効果】
【０００８】
本発明によれば、放射ノイズによる異常画像の発生を抑制することができる。
【図面の簡単な説明】
【０００９】
【図１】本発明に係る原稿読取装置の概略構造を示す断面図である。
【図２】図１の原稿読取装置においてＡＤＦを開いた状態を示す斜視図である。
【図３】図１の原稿読取装置の制御系の構成を示すブロック図である。
【図４】図１の原稿読取装置が備える図３のコントローラ部で実行される固定読みの制御を示すフローチャートである。
【図５】画像データの水平同期信号を模式的に示す図である。
【図６】正常な画像と水平同期信号に放射ノイズが乗ったために発生した異常画像とを対比して示す図である。
【図７】図１の原稿読取装置が備える図３の画像読取部で実行される固定読みの制御を示すフローチャートである。
【発明を実施するための形態】
【００１０】
以下、本発明の実施の形態について添付図面を参照して詳細に説明する。
【００１１】
＜原稿読取装置の構成例＞
図１は、本発明の実施形態に係る原稿読取装置の概略構成を示す断面図である。原稿読取装置１０００は、原稿を自動的に給送するＡＤＦ（自動原稿送り装置）１００と、ＡＤＦ１００により給送された原稿の画像を読み取る画像読取部２００と、不図示のコントローラ部とによって構成されている。
【００１２】
＜ＡＤＦの構成＞
ＡＤＦ１００は、シート状の１枚の原稿又は複数枚の原稿からなる原稿束Ｓを積載する原稿トレイ３０を備えており、原稿トレイ３０には原稿トレイ３０上の原稿の有無を検出する原稿検知センサ１４が配置されている。また、原稿トレイ３０には、積載された原稿束Ｓの幅方向（図１の断面に垂直な方向）にスライド可能な不図示のガイド規制板が設けられており、このガイド規制板と連動して原稿幅を検出する不図示の原稿幅検知センサが配設されている。ＡＤＦ１００内の搬送パスには原稿長検知センサ１５が配置されており、原稿長検知センサ１５は、搬送中の原稿の先端を検知してから後端を検知するまでの時間及び原稿の搬送速度とから、原稿長（原稿の搬送方向における長さ）を検出する。
【００１３】
原稿トレイ３０に載置された原稿は、給紙ローラ１によってＡＤＦ１００の内部へ送り出される。給紙ローラ１による原稿の給送開始前に原稿が原稿トレイ３０から下流側へ進出しないようにするために、分離パッド２１が配置されている。給紙ローラ１は、原稿トレイ３０に積載された原稿束Ｓの原稿面に落下して回転し、これにより、原稿束Ｓの最上面の原稿が給紙される。分離センサ２２は給紙された原稿の後端を検知するためのセンサである。給紙ローラ１によって給送された原稿は、分離ローラ２と分離パッド２１の作用によって１枚に分離される。この分離は周知のリタード分離技術によって実現することができる。
【００１４】
分離ローラ２と分離パッド２１によって分離された原稿は、引き抜きローラ対３によってレジストローラ４へ搬送され、レジストローラ４に突き当てられる。これにより、原稿はループ状に撓み、搬送時の原稿の斜行が解消される。レジストローラ４の下流側には、レジストローラ４を通過した原稿を流し読みガラス２０１方向へ搬送する給紙パスが設けられている。給紙パスに送られた原稿は、プラテン上流ローラ対５及びプラテンローラ６により流し読みガラス２０１上に搬送される。
【００１５】
プラテンローラ６は流し読みガラス２０１に接触しており、プラテンローラ６を通過する原稿の表面に対して光源２０３から光が照射される。原稿の表面からの反射光はミラー２０４，ミラー２０５、ミラー２０６及びレンズ２０７を経て、表面用ＣＣＤラインセンサ２０８によって１ラインずつ読み取られる。プラテンローラ６により給送された原稿は、プラテン下流ローラ対７を通過して、裏面読取ローラ８に送られる。
【００１６】
裏面読取ローラ８は移動ガラス１６に接触しており、裏面読取ローラ８を通過する原稿の裏面に対して光源９から光が照射される。原稿の裏面からの反射光は、裏面用ＣＣＤラインセンサ１０によって１ラインずつ読み取られる。原稿は、裏面読取ローラ８により更に下流側へ搬送され、排紙センサ１１を経て、排紙ローラ対１２によって原稿排紙トレイ１３に排出される。
【００１７】
＜画像読取部の構成＞
画像読取部２００は、透明なガラスからなる原稿台２０９上にセットされた原稿の原稿台２０９側の面の画像情報を、光学スキャナユニット２０２を図１に示す矢印方向（副走査方向）に一定速度で走査することにより、１ラインずつ光学的に読み取る（固定読み）。このとき、ＡＤＦ１００は原稿台２０９を覆う原稿台カバーとして機能する。一方、既に説明した通り、画像読取部２００は、ＡＤＦ１００の原稿トレイ３０から給紙される原稿の表面の画像情報を、光学スキャナユニット２０２をプラテンローラ６の直下に位置させた状態で光学的に読み取る（流し読み）。
【００１８】
画像読取部２００が備えるシェーディング白板２１０は、シェーディング補正で使用する白レベルの基準データを作成するための白板である。基準データは、原稿を読み取る前に光学スキャナユニット２０２をシェーディング白板２１０の下に移動させ、画像読取部２００がシェーディング白板２１０を読み取ることにより取得される。
【００１９】
図２は、原稿読取装置１０００においてＡＤＦ１００を開いた状態を示す斜視図である。ＡＤＦ１００と画像読取部２００とは、金属製のヒンジ部材２１３によって開閉可能に接続されており、画像読取部２００にはＡＤＦの開閉状態を検知する開閉検知センサ２１１が設けられている。また、画像読取部２００の内部には、原稿台２０９にセットされた原稿の副走査方向の長さを検出するための複数のサイズ検知センサ２１２が配置されている。原稿台２０９にセットされた原稿の主走査方向（副走査方向と直交し、且つ、原稿面に平行な方向）の長さは、画像読取部２００が原稿を読み取ることにより得られた主走査方向の画像データに基づき決定される。
【００２０】
＜原稿読取装置の制御構成＞
図３は、原稿読取装置１０００の制御系の構成を示すブロック図である。ＡＤＦ１００及び画像読取部２００は、中央演算処理装置であるＣＰＵ８０１、ＲＯＭ８０２及びＲＡＭ８０３を備えている。ＲＯＭ８０２には制御用プログラムが格納されており、ＲＡＭ８０３には、入力データや作業用データが格納される。
【００２１】
給紙ローラ１と分離ローラ２の回転駆動は分離ローラ駆動回路８２３により行われ、引き抜きローラ対３とレジストローラ４の回転駆動は搬送モータ駆動回路８２４によって行われる。プラテン上流ローラ対５、プラテンローラ６、プラテン下流ローラ対７及び裏面読取ローラ８の回転駆動はリードモータ駆動回路８２６により行われる。排紙ローラ対１２の回転駆動は排紙モータ駆動回路８２５により行われ、光学スキャナユニット２０２の回転駆動は光学モータ駆動回路により行われる。これらの駆動回路はそれぞれＣＰＵ８０１に接続されている。
【００２２】
ＣＰＵ８０１には、開閉検知センサ２１１、サイズ検知センサ２１２、原稿検知センサ１４、排紙センサ１１、原稿長検知センサ１５及び分離センサ２２が接続されている。また、ＣＰＵ８０１には、表面画像読取用の光源２０３、裏面画像読取用の光源９、表面用ＣＣＤラインセンサ２０８及び裏面用ＣＣＤラインセンサ１０が接続されている。ＣＰＵ８０１は、表面用ＣＣＤラインセンサ２０８及び裏面用ＣＣＤラインセンサ１０で読み取られた画像データを、画像処理部８３３を介して、一旦、画像メモリ８３２に格納するか又は画像メモリ８３２を介さずに画像ライン３５３を介してコントローラ部３００へ直接送信する。画像データの先端の基準となる垂直同期信号及び１ラインの画素先端の基準となる水平同期信号については、ＣＰＵ８０１が生成し、シリアル通信ライン３５４を通してコントローラ部３００に通知する。
【００２３】
コントローラ部３００は、ＣＰＵ９０１、ＲＯＭ９０２及びＲＡＭ９０３を備えており、ＣＰＵ８０１とのシリアル通信ライン３５４を介して画像読取制御に関するデータ及び信号の授受を行う。画像データは画像ライン３５３を介して画像処理部８３３から画像処理部９０５に送られ、画像処理部９０５が受信したデータは画像メモリ９０６に格納される。また、コントローラ部３００は、ユーザとのインターフェース制御を行うための操作表示部９０４を備えており、操作表示部９０４での表示制御及び操作表示部９０４で入力された入力情報の処理はＣＰＵ９０１により行われる。コントローラ部３００が備える画素カウンタ９０７は、画像ライン３５３を介して受信した画像データの画素数をカウントする。
【００２４】
＜コントローラ部による水平同期信号の監視制御＞
図４は、コントローラ部３００による固定読みの制御を示すフローチャートである。
【００２５】
この処理は、利用者が原稿台２０９の上に原稿をセットし、操作表示部９０４のスタートキー（不図示）を押下することにより開始される。コントローラ部３００のＣＰＵ９０１は、スタートキーの押下に応じて、画像読取部２００に読取動作を開始させるために、ＣＰＵ８０１に対し固定読み開始命令を送信する（ステップＳ１０１）。ＣＰＵ９０１は、画像読取部２００のＣＰＵ８０１からＡＤＦ１００の開閉状態を示す情報を受信すると（ステップＳ１０２）、ＡＤＦ１００の開閉状態（ＡＤＦ１００が閉状態か）を判定する（ステップＳ１０３）。
【００２６】
ＡＤＦ１００が閉状態である場合（ステップＳ１０３でＹＥＳ）、ＣＰＵ９０１は、画像データの受信を開始する（ステップＳ１０４）。この際、画像データの水平同期信号の監視は行わない。続いて、ＣＰＵ９０１は、画像データの受信が完了したか否かを判定し（ステップＳ１０５）、画像データの受信が完了するまで画像データの受信を続ける。画像データの受信が完了すると、処理は終了する。
【００２７】
一方、ＡＤＦ１００が開状態である場合（ステップＳ１０３でＮＯ）、ＣＰＵ９０１は、画像データの受信を開始すると共に（ステップＳ１０６）、画像データの送信中に画像データの水平同期信号の監視を開始する（ステップＳ１０７）。そして、ＣＰＵ９０１は、画像データを受信しながら、受信した水平同期信号に異常があるか否かを判定する（ステップＳ１０８）。
【００２８】
ここで、ステップＳ１０８における水平同期信号の異常の監視方法について説明する。
【００２９】
図５は水平同期信号を模式的に示す図である。水平同期信号は１ラインの先頭画素を通知する信号である。１ラインの画素数は画像読取部２００のハードウェア構成によって一意に定まっていることから（本実施形態では７０００画素とする）、画像の図５（ａ）に示すように、Ｈｉ信号が等間隔でＣＰＵ９０１に通知される。ＣＰＵ９０１は、水平同期信号のＨｉ信号に応じて、画素カウンタ９０７を用いて受信した画像データの画素数をカウントする。そして、ＣＰＵ９０１は、画素カウンタ９０７によるカウント値が所定値未満（本実施形態では７０００画素未満）であるにもかかわらず、次の水平同期信号のＨｉ信号を受け取った場合、図５（ｂ）に示すように水平同期信号にノイズがあると判定し、画像データに異常があると判定する。つまり、水平同期信号の受信タイミングと画素カウンタ９０７によるカウント値に基づいて、画像データの異常を判定する。
【００３０】
なお、水平同期信号の監視をＡＤＦ１００が開状態の場合にのみ行うのは、ＡＤＦ１００が開状態である場合には、図２に示したように、金属製のヒンジ部材２１３がむき出しになるため、外来の放射ノイズの影響を受けやすくなるからである。
【００３１】
図６は、正常な画像と水平同期信号に放射ノイズが乗ったために発生した異常画像とを対比して示す図である。図６（ａ）は５ラインで読みとる正常な画像の例を示しており、これに対して図６（ｂ）は、図６（ａ）の画像に放射ノイズが乗った場合の異常画像の例を示している。
【００３２】
水平同期信号の異常を検出しない場合（ステップＳ１０８でＹＥＳ）、ＣＰＵ９０１は、画像データの受信が完了したか否かを判定し、画像データの受信が完了するまで画像データの受信を続ける（ステップＳ１０９）。画像データの受信が完了すると、処理は終了する。
【００３３】
水平同期信号の異常を検出した場合（ステップＳ１０８でＮＯ）、ＣＰＵ９０１は、水平同期信号に異常があったことをＣＰＵ８０１に通知する（Ｓステップ１１０）。そして、ＣＰＵ８０１に対して、再度、固定読み開始命令（再読取の指示）を送信する（ステップＳ１１１）。これにより、図４のフローチャートには不図示であるが、固定読み開始命令により画像読取部２００から画像データが送信されてくる。そこで、ＣＰＵ９０１は、受信した画像データにおける水平同期信号の監視を開始し（ステップＳ１１２）、水平同期信号に異常があるか否かを判定する（ステップＳ１１３）。
【００３４】
ＣＰＵ９０１は、ステップＳ１１１での再命令により画像読取部２００から送信されてくる画像データの水平同期信号に再び異常があると判定した場合（ステップＳ１１３でＮＯ）、通信エラーが発生したと判断する。そして、ＣＰＵ９０１は、画像読取部２００での画像の読取動作を中止させ、操作表示部９０４にエラー発生表示を行い（ステップＳ１１５）、その後、処理を終了する。
【００３５】
なお、本実施形態では、水平同期信号の異常を検知したときの再実行回数を１回だけにしているが、Ｎ回（Ｎ＞１）まで再実行可能にしてもかまわない。
【００３６】
一方、水平同期信号の異常を検出しない場合（ステップＳ１１３でＹＥＳ）、ＣＰＵ９０１は、画像データの受信が完了したか否かを判定する（ステップＳ１１５）。そして、ＣＰＵ９０１は、画像データの受信が完了するまで、水平同期信号の監視と画像データの受信を続ける（ステップＳ１１４）。画像データの受信が完了すると正常に画像を読み取ることができたと判断して、処理を終了する。
【００３７】
＜画像読取部による固定読みのやり直しに関する制御＞
図７は、画像読取部２００による固定読みの制御を示すフローチャートである。コントローラ部３００のＣＰＵ９０１からの固定読み開始命令に応じて、画像読取部２００での読取動作が開始される。ＣＰＵ８０１は、固定読み開始命令に応じて開閉検知センサ２１１を参照し、ＡＤＦ１００の開閉状態をコントローラ部３００へ通知する（ステップＳ２０１）。なお、ステップＳ２０１においてコントローラ部３００に通知したＡＤＦ１００の開閉状態は、図４のステップＳ１０２でコントローラ部３００が受信し、ステップＳ１０３の判断に用いられる。
【００３８】
ＣＰＵ８０１は、画像読取部２００のシェーディング調整を実施し（ステップＳ２０２）、その後、固定読みによる原稿画像の読取を開始する（ステップＳ２０３）。ＣＰＵ８０１は水平同期信号を生成し、シリアル通信ライン３５４を通してＣＰＵ９０１に送信する。さらに、原稿画像の読取により得られた画像データを、画像ライン３５３を介して送信する（ステップＳ２０４）。
【００３９】
ＣＰＵ９０１は、ＣＰＵ８０１からの水平同期信号を監視しており（図４のステップＳ１０８）、水平同期信号に異常があった場合には、ＣＰＵ８０１へ水平同期信号異常を通知する（図４のステップＳ１１０）。そして、ＣＰＵ８０１は、ＣＰＵ９０１からの水平同期信号異常の通知を監視しており、水平同期信号異常が通知されたか否かを判定する（ステップ２０５）。
【００４０】
水平同期信号異常が通知されない場合（ステップＳ２０５でＮＯ）、ＣＰＵ８０１は、原稿画像の読取が完了したか否か（すなわち、画像データの送信の完了）を判定し（ステップＳ２０６）、原稿画像の読取が完了するまで、水平同期信号の送付および画像データの送信を続ける。ＣＰＵ８０１は、ＣＰＵ９０１から水平同期信号異常の通知を検知した場合（ステップＳ２０５でＹＥＳ）、原稿の読取を中止する。そして、光学スキャナユニット２０２を画像読取開始位置へ戻す。そして、ＣＰＵ８０１は、ＣＰＵ９０１からの固定読み開始命令の通知を待つ（ステップＳ２０７）。固定読み開始命令の通知を検知すると（ステップＳ２０７でＹＥＳ）、ＣＰＵ８０１は、ステップ２０２で行われたシェーディング調整の結果を使用して、ステップＳ２０３〜Ｓ２０６と同様の処理を実行する（ステップＳ２０８〜Ｓ２１１）。
【００４１】
ステップＳ２０９でＣＰＵ９０１に送付している水平同期信号に異常があると、再度、ＣＰＵ９０１から水平同期信号異常が通知される。ＣＰＵ９０１から水平同期信号異常の通知を受信した場合（ステップＳ２１０でＹＥＳ）、ＣＰＵ８０１は、通信エラーが生じたとして画像読取部２００での動作を停止させ（ステップＳ２１２）、処理を終了する。
【００４２】
本実施形態では、水平同期信号異常に基づく原稿読取の再実行回数を１回としたが、原稿の再読取を所定回数行った後に、再び、水平同期信号異常の通知を受信したときに、画像読取部２００での動作を停止させるようにしてもよい。例えば、原稿読取の再実行回数をＮ回（Ｎ＞１）まで再実行可能にしてもかまわない。この場合、再実行回数がＮ回になるまで、ステップＳ２０７〜Ｓ２１１の処理をＮ回繰り返すことになる。
【００４３】
ステップＳ２１０において水平同期信号異常が通知されない場合（ステップＳ２１０でＮＯ）、ＣＰＵ８０１は、原稿画像の読取が完了したか否かを判定し（ステップＳ２１１）、原稿画像の読取が完了するまで読取処理を続ける。
【００４４】
以上の説明の通り、本実施形態によれば、導通部材等の特別な構成を追加しなくとも、ＣＰＵ８０１，９０１による制御によって、画像データに放射ノイズが混入することによる異常画像の発生を抑制することができる。
【００４５】
＜他の実施形態＞
以上、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００４６】
例えば、上記実施形態では、ＡＤＦ１００が開状態にあるときにのみ、水平同期信号の異常を監視したが、ＡＤＦ１００が閉状態にあるときにも、水平同期信号の異常を監視する構成としてもよいことは言うまでもない。また、本発明に係る原稿読取装置は、例えば、電子写真方式の画像形成装置における原稿の原稿読取装置として使用され、この原稿形成装置では、高品質な印刷物の出力が可能になる。
【００４７】
本発明は以下の処理を実行することによっても実現される。すなわち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００４８】
１００    ＡＤＦ
２００    画像読取部
３００    コントローラ部
２０３    光源
２０８    表面用ＣＣＤラインセンサ
２０９    原稿台
９０４    操作表示部
８０１，９０１    ＣＰＵ
８３３，９０５    画像処理部
１０００    原稿読取装置
【図１】
0005955011.tif 000002
【図２】
0005955011.tif 000003
【図３】
0005955011.tif 000004
【図４】
0005955011.tif 000005
【図５】
0005955011.tif 000006
【図６】
0005955011.tif 000007
【図７】
0005955011.tif 000008